(57)【特許請求の範囲】
【請求項１】
天井（２５）から所定の長さを有する吊柱（１５）にて支持桟（１７）を懸吊し、前記支持桟（１７）の下方に、下地材（１９）を介して鴨居（１８）を、該支持桟（１７）と略平行に固定し、前記支持桟（１７）と鴨居（１８）とを、両側面から挟むように、一側の長押（１４）と他側の長押（１４）とを固定し、該天井（２５）と長押（１４）の間に開口を形成し、前記長押（１４）の両端下部に付柱（１３・１３）を付設した、前記長押（１４）の取付構造において、一側の長押（１４）に形成した凹溝（１４ａ）に、前記支持桟（１７）の側部を嵌入し、同じく一側の長押（１４）に形成した凹溝（１４ｂ）に、前記鴨居（１８）の側部を嵌入し、該鴨居（１８）及び支持桟（１７）と、該一側の長押（１４）とを固定し、該鴨居（１８）と支持桟（１７）の間に介装した下地材（１９）の他側は、該鴨居（１８）及び支持桟（１７）よりも側方へ突出するように固定し、該突出した下地材（１９）を、他側の長押（１４）に形成した凹溝（１４ｃ）に嵌入して、該下地材（１９）と他側の長押（１４）とを固定することを特徴とする長押の取付構造。
【発明の詳細な説明】
【技術分野】
【０００１】
本発明は、長押の取付構造に関する。
【背景技術】
【０００２】
従来、和室と、洋室又は和室等の他の空間との間には、柱間に垂れ壁が設けられ、該垂れ壁に鴨居が設けられ、鴨居に襖等の建具が摺動可能に嵌め込まれている。垂れ壁と鴨居との間には、化粧板としての長押が取り付けられる。そして、建具や垂れ壁等により、和室という空間とその他の空間とが仕切られている。
【０００３】
和室の使用目的について考えると、伝統的様式を継承して、客室や茶室として使用されるものがある一方で、近年多く見受けられるリビングルームに連続して設けられた和室は、前述の伝統的な使用に限定されず、多目的な使用が為されている。すなわち、リビングルームと連続して設けられた和室は、客間や、来客時の寝室として主に来客時の応接のための空間として使用されたり、家族が座ってくつろぐ団らんや、友人との歓談や、大人数での飲食のためのコミュニティ空間として使用されたり、床座のセカンドリビングルームとしての位置づけとなる。
【０００４】
このような目的のために設けられる和室では、本格的な和室の造作は必要とせず、現代の生活スタイルに合わせて、洋室という空間の延長線上にあり、床座を取り込み、くつろぐことのでき、様々な使い方が可能な設えであることが望まれている。すなわち、上述の如く来客時の応接のための空間として使用できる一方で、セカンドリビングルームとして使用できるように、和室と洋室であるリビングルームがそれぞれ独立した部屋の間取りから、和室と洋室とが連続性を持ち、建具を開け放したときに和洋が融合した一体感のある心地よい空間を形成することが望まれているのである。
【０００５】
しかし、従来の垂れ壁や建具による和室の間仕切り形態は、空間と空間との間に垂れ壁が存在し、特に、建具を閉めると閉鎖感が生じるため、空間と空間とが完全に仕切られた状態となる。和室と洋室との間に連続性を持たせながら仕切るためには、空間と空間との間に、どこかに開放した部分を有し、この開放した部分によって空間と空間との連続性を生じ感じさせる手法を採用することができる。
【０００６】
そこで、特許文献１では、本出願人より、天井から一定間隔を置いて懸吊された鴨居に、建具を嵌め込んで、和室と洋室の空間と空間とを仕切る構造が提案されている。この場合、天井と鴨居との間によって、和室と洋室の二つの空間が連通され、両空間での通風を得ることができるとともに、建具を開放した時のより大きな開放感を得ることができるようにしている。
【０００７】
【特許文献１】特開２０００−１２０３４７号公報
【発明の開示】
【発明が解決しようとする課題】
【０００８】
本発明では、上記従来技術に鑑み、連続性を持たせながら、和室と洋室との二つの空間を仕切るために相応しい長押とその周辺部材とによる鴨居の取付構造を提案する。
【課題を解決するための手段】
【０００９】
本発明の解決しようとする課題は以上の如くであり、次にこの課題を解決するための手段を説明する。
【００１０】
天井（２５）から所定の長さを有する吊柱（１５）にて支持桟（１７）を懸吊し、前記支持桟（１７）の下方に、下地材（１９）を介して鴨居（１８）を、該支持桟（１７）と略平行に固定し、前記支持桟（１７）と鴨居（１８）とを、両側面から挟むように、一側の長押（１４）と他側の長押（１４）とを固定し、該天井（２５）と長押（１４）の間に開口を形成し、前記長押（１４）の両端下部に付柱（１３・１３）を付設した、前記長押（１４）の取付構造において、一側の長押（１４）に形成した凹溝（１４ａ）に、前記支持桟（１７）の側部を嵌入し、同じく一側の長押（１４）に形成した凹溝（１４ｂ）に、前記鴨居（１８）の側部を嵌入し、該鴨居（１８）及び支持桟（１７）と、該一側の長押（１４）とを固定し、該鴨居（１８）と支持桟（１７）の間に介装した下地材（１９）の他側は、該鴨居（１８）及び支持桟（１７）よりも側方へ突出するように固定し、該突出した下地材（１９）を、他側の長押（１４）に形成した凹溝（１４ｃ）に嵌入して、該下地材（１９）と他側の長押（１４）とを固定するものである。
【発明の効果】
【００１１】
本発明の効果として、以下に示すような効果を奏する。
【００１２】
請求項１においては、天井（２５）から所定の長さを有する吊柱（１５）にて支持桟（１７）を懸吊し、前記支持桟（１７）の下方に、下地材（１９）を介して鴨居（１８）を、該支持桟（１７）と略平行に固定し、前記支持桟（１７）と鴨居（１８）とを、両側面から挟むように、一側の長押（１４）と他側の長押（１４）とを固定し、該天井（２５）と長押（１４）の間に開口を形成したので、天井と長押との間に開口が形成され、長押を介して二つに仕切られる空間に、空間としての感覚的な連続性を持たせることができる。  特に、リビングルームとしての洋室と、その洋室に隣接して設けられた和室との間に、前記長押を設けることによって、洋室と和室との連続性を残しながら仕切ることができ、和室をセカンドリビングルームとして使用するに適した状態とすることができる。
【００１３】
また、前記長押（１４）の両端下部に付柱（１３・１３）を付設したので、躯体としての柱が無くとも和室としての造作を醸し出すことができる。
【００１４】
また、一側の長押（１４）に形成した凹溝（１４ａ）に、前記支持桟（１７）の側部を嵌入し、同じく一側の長押（１４）に形成した凹溝（１４ｂ）に、前記鴨居（１８）の側部を嵌入し、該鴨居（１８）及び支持桟（１７）と、該一側の長押（１４）とを固定し、該鴨居（１８）と支持桟（１７）の間に介装した下地材（１９）の他側は、該鴨居（１８）及び支持桟（１７）よりも側方へ突出するように固定し、該突出した下地材（１９）を、他側の長押（１４）に形成した凹溝（１４ｃ）に嵌入して、該下地材（１９）と他側の長押（１４）とを固定するので、外部に露出する釘等を用いることなく、長押を取り付ける支持桟や鴨居や下地材の配置を利用して、長押を取り付けることができるのである。
【発明を実施するための最良の形態】
【００１５】
次に、発明の実施の形態を説明する。
【００１６】
図１は本発明の実施例に係る長押を備えた空間と空間との仕切り部分を示す図、図２は長押を備えた空間と空間との仕切り部分の建具を開放した状態を示す図である。
【００１７】
図３は長押の構造を示す斜視図、図４は長押の構造を示す断面図、図５は吊柱と支持桟の固定構造を示す図、図６は支持桟に吊柱を固定する様子を示す斜視図、図７は鴨居に付柱を固定する様子を示す斜視図、図８は支持桟と鴨居に長押を固定する様子を示す斜視図である。
【００１８】
本実施例に係る長押１４は、図１に示す如く、天井２５から所定の間隔をおいて懸吊された状態に設けられており、和室と洋室との二つの空間を仕切るために設けられる襖等の建具１２・１２・・・を摺動可能に保持する鴨居１８に取り付けられている。但し、本発明に係る長押の取付構造を採用した長押は、和室と和室との二つの空間の間に設けることもできる。なお、天井２５と長押１４との間隔は、建具１２・１２・・・の大きさにより決定することも、また、天井２５と長押１４との間に形成される空間の大きさと和室又は洋室とのバランスを考慮して決定することもできる。
【００１９】
図１に示す如く、空間と空間とを仕切る襖や障子等の建具１２・１２・・・が、敷居２４と鴨居１８との間に、敷居２４及び鴨居１８に形成された溝１８ｂに沿って摺動可能に嵌設されている。鴨居１８の両端部には付柱１３・１３が上下略垂直方向に取り付けられ、該付柱１３・１３及び鴨居１８を和室と洋室の両空間側から挟み込むようにして、化粧板としての長押１４・１４が取り付けられ、空間の仕切り部１０が構成されている。この場合、長押１４・１４により鴨居１８は室内空間より隠蔽され、付柱１３・１３は長押１４・１４の両端下方に配設されているように見える。
【００２０】
前記長押１４・１４は、天井２５から吊柱１５を介して吊られた状態に保持されているように見える。すなわち、長押１４・１４は天井２５より吊柱１５の長さ分だけ離れた位置に吊られた状態に設けられており、長押１４・１４の上方には吊柱１５にて二つに区切られた欄間１１・１１が形成されている。この欄間１１・１１という長押１４・１４の上方に設けられた開口により、建具１２・１２・・・にて仕切られている二つの空間が連通されて、一側の空間からは欄間１１・１１を介して他側の空間の天井部分が見えることになる。なお、本実施例において吊柱１５は長押１４・１４を取り付ける支持桟１７の長尺方向略中央部に連結されているが、長押１４・１４の規模に応じて吊柱１５の取付位置や数を変更させることもできる。但し、吊柱１５の数は、天井２５と長押１４・１４との間に開口を確保するために、なるべく少ないことが好ましい。
【００２１】
そして、図２に示す如く、図１に示す如く閉じられていた建具１２・１２・・・を開放すれば、建具１２・１２・・・にて仕切られていた二室の空間と空間とが連通される。この場合、長押１４・１４は存在するものの、長押１４・１４の上下に開口が設けられることによって、二室の間に確固たる重厚な仕切りが無いような感覚を生じさせ、二室に連続性が感じられるようにしている。このような長押１４・１４の取付構造は、洋室としてのリビングルームと現代風の和室とを連続性を持たせながら仕切る構造として、有効である。例えば、二室を一つの大広間として使用する際に、建具１２・１２・・・を開放して二室を連続させれば、二室がはっきりと仕切られているという感覚が無く、広い連続した空間として感じることができる。また、建具１２・１２・・・を閉じれば、二室の空間はそれぞれに仕切られることになり、それぞれの空間を別の形態で使用することができる。
【００２２】
次に、前記長押１４・１４の取付構造について、その施工手順に沿って説明する。
図１及び図３に示す如く、仕切り部１０の天井２５に吊柱１５の上端を固定し、該吊柱１５の下端を取付プレート１６を介して支持桟１７に固定して、支持桟１７を天井２５から懸吊された状態に保持する。図４乃至図６にも示す如く、吊柱１５の下面に取付プレート１６をビス等の締結部材２３・２３・・・を介して固定し、該取付プレート１６を支持桟１７の上面にビス等の締結部材２３・２３・・・にて固定することによって、吊柱１５と支持桟１７とを連結させる。本実施例において、吊柱１５は略角柱状であるが、円柱状としたり多角形柱状としたりして、空間の雰囲気に応じた意匠性を備えることができる。    
【００２３】
前記支持桟１７は、略水平方向に延設されており、その両端は対峙する壁２２と壁２２とに接している。吊柱１５に支持桟１７を固定する段階において、支持桟１７には、片側の長押１４や鴨居１８等が取り付けられている。但し、この施工手順に限定されるものではなく、支持桟１７と吊柱１５とを連結させた上で、鴨居１８や長押１４を取り付けることもできる。
【００２４】
図４にも示す如く、支持桟１７の側面には、長押１４に形成された凹溝１４ａに嵌入可能な凸部１７ａが形成され、凹溝１４ａに凸部１７ａが嵌入されることによって支持桟１７に、一側の長押１４の上部が固定されている。また、前記支持桟１７の下部には、下地材１９・１９・・・や端部下地材２１・２１がビスや釘、接着剤等により固定されている。端部下地材２１は、支持桟１７の両端下部に配置され、下地材１９はその他の部分に配置されている。端部下地材２１には、長押１４の端部に形成された係合穴（図示せず）に挿入して長押１４を固定可能な突起２１ａが形成されており、また、下地材１９は支持桟１７よりも側方へ突出して長押１４設けられた凹溝１４ｃに嵌合可能とされている。
【００２５】
さらに、支持桟１７の下方には下地材１９・１９・・・や端部下地材２１・２１等を介して鴨居１８が固定されている。鴨居１８には建具１２・１２・・・を摺動させるための溝１８ｂが形成されている。鴨居１８は下地材１９よりも一側に突出するように固定され、その突出部１８ａが長押１４に形成された凹溝１４ｂに挿入されることによって、鴨居１８と一側の長押１４とが固定される。なお、上記支持桟１７の凸部１７ａと鴨居１８の突出部１８ａは同一側に突出して、これにより一側の長押１４と支持桟１７と鴨居１８とが固定されている。
【００２６】
続いて、図７に示す如く、鴨居１８の両端面に接する壁２２・２２に、付柱１３・１３を固定する。付柱１３の上端には、鴨居１８の下面と、長押１４・１４の下部とにより形成される凹凸に嵌合可能な凹凸部１３ａが形成されており、付柱１３と鴨居１８と長押１４とが収まりよく固定されている。
【００２７】
さらに、図８に示す如く、下地材１９・１９の支持桟１７よりも一側方へ突出した部分に長押１４に形成された凹溝１４ｃを嵌合し、端部下地材２１の突起２１ａを長押１４に形成された係合穴（図示せず）に嵌入することによって、支持桟１７及び鴨居１８に、他側の長押１４を固定する。以上で、図１に示すような長押１４・１４の施工が完了する。    
【００２８】
上述の如く施工される長押１４・１４では、建具１２によって仕切られる和室と洋室との二つの空間の間には、住宅の躯体としての柱ではなく、付柱１３を用いている。付柱１３は和室の造作を形成するために設けられており、長押１４・１４は、柱を両面から挟んで取り付ける見付け化粧材としての形態を持つことができる。また、長尺方向略中央部を吊柱１５にて懸吊された状態に取り付けられる長押１４・１４は、その両端を付柱１３・１３にて担架させることによって、空間に良好に保持されることになる。
【００２９】
また、上述の如く施工される長押１４・１４では、一側の長押１４に形成した凹溝１４ａ・１４ｂに、鴨居１８の側部と支持桟１７の側部とを嵌入して、鴨居１８及び支持桟１７と一側の長押１４とを固定し、他側の長押１４では、該長押１４に形成した溝１４ｃに、鴨居１８及び支持桟１７より突出するように配置固定された下地材１９や端部下地材２１を嵌入して、下地材１９と他側の長押１４とを固定している。これにより、外部に露出する釘等を用いることなく、長押１４・１４を取り付ける支持桟１７や鴨居１８や下地材１９の配置を利用して、長押１４・１４を取り付けることができる。
【図面の簡単な説明】
【００３０】
【図１】本発明の実施例に係る長押を備えた空間と空間との仕切り部分を示す図。
【図２】長押を備えた空間と空間との仕切り部分の建具を開放した状態を示す図。
【図３】長押の構造を示す斜視図。
【図４】長押の構造を示す断面図。
【図５】吊柱と支持桟の固定構造を示す図。
【図６】支持桟に吊柱を固定する様子を示す斜視図。
【図７】鴨居に付柱を固定する様子を示す斜視図。
【図８】支持桟と鴨居に長押を固定する様子を示す斜視図。
【符号の説明】
【００３１】
１１  欄間
１２  建具
１３  付柱
１４  長押
１５  吊柱
１６  取付プレート
１７  支持桟
１８  鴨居
１９  下地材
２１  端部下地材
２２  壁
２３  締結部材
２４  敷居
２５  天井
【図１】
0004678136.tif 000002
【図２】
0004678136.tif 000003
【図３】
0004678136.tif 000004
【図４】
0004678136.tif 000005
【図５】
0004678136.tif 000006
【図６】
0004678136.tif 000007
【図７】
0004678136.tif 000008
【図８】
0004678136.tif 000009